(57)【要約】【課題】サイクロン空気清浄機において、第２サイクロンで生じる圧力損失及び騒音を低減させ、且つ、集塵効率を向上させることを目的とする。【解決手段】円筒形の本体と、本体１０の側面に形成されて空気を流入させる少なくとも一つの流入口１６を有し、流入口１６から流入した空気に対して１次ホコリ分離動作を行い、１次ホコリ分離された空気のうちの第１部分を流出させる第１流出管を有する少なくとも一つの第１サイクロン２０と、少なくもと一つの第１サイクロン２０から１次ホコリ分離された空気のうちの第２部分が流入し、空気の第２部分に対して２次ホコリ分離動作を行う少なくとも一つの第２サイクロン３０と、を備える。【選択図】図１
2007175695.tif 000002
【特許請求の範囲】
【請求項１】
円筒形の本体と、
該本体の側面に形成されて空気を流入させる少なくとも一つの流入口を有し、該流入口から流入した空気に対して１次ホコリ分離動作を行い、１次ホコリ分離された空気のうちの第１部分を流出させる第１流出管を有する少なくとも一つの第１サイクロンと、
該少なくもと一つの第１サイクロンから１次ホコリ分離された空気のうちの第２部分が流入し、該空気の第２部分に対して２次ホコリ分離動作を行う少なくとも一つの第２サイクロンと、
を備えてなることを特徴とするサイクロン空気清浄機。
【請求項２】
１次ホコリ分離された前記空気の第２部分を、前記少なくとも一つの第２サイクロンに導いて該第２サイクロン内に旋回気流が形成されるようにする案内ダクトをさらに備えることを特徴とする請求項１に記載のサイクロン空気清浄機。
【請求項３】
前記少なくとも一つの第１サイクロンの内部に設置され、空気中のホコリを電離させる電離装置と、
前記案内ダクト内に設置され、前記少なくとも一つの第１サイクロンの内部で電離したホコリ粒子を電気的な引力によって前記少なくとも一つの第２サイクロン中に誘導する誘導装置と、
をさらに備えることを特徴とする請求項２に記載のサイクロン空気清浄機。
【請求項４】
前記電離装置は、
前記第１流出管の外周面に円周方向に沿って配設される複数個の放電針と、
該放電針と対向して前記少なくとも一つの第１サイクロンの内周面に設けられる接地電極板と、
を備えてなることを特徴とする請求項３に記載のサイクロン空気清浄機。
【請求項５】
前記電離装置によって電離した空気中のホコリ粒子の一部は、前記誘導装置によって前記第２サイクロン中に誘導され、残りのホコリ粒子は、前記本体下部に設けられた集塵桶に集まることを特徴とする請求項３に記載のサイクロン空気清浄機。
【請求項６】
前記少なくとも一つの第１サイクロンに設けられ、該第１サイクロンの内部に旋回気流が形成されるように前記少なくとも一つの第１流入口から前記第１サイクロン内に流入した空気を導くガイドをさらに備えることを特徴とする請求項１に記載のサイクロン空気清浄機。
【請求項７】
前記少なくとも一つの第２サイクロンに縦方向に貫設され、１次及び２次ホコリ分離動作が行われた前記空気の第２部分が、前記少なくとも一つの第２サイクロンの外部へ流出されるようにする第２流出管をさらに備えることを特徴とする請求項１に記載のサイクロン空気清浄機。
【請求項８】
前記本体の上部に設置され、前記第１流出管及び前記第２流出管からそれぞれ流出される前記空気の第１部分及び第２部分からホコリをろ過するフィルターをさらに備えることを特徴とする請求項７に記載のサイクロン空気清浄機。
【請求項９】
複数個の第１サイクロンは、前記本体の内部において円周方向に配置され、複数個の第２サイクロンは、前記複数個の第１サイクロンの内側において円周方向に配置されることを特徴とする請求項１に記載のサイクロン空気清浄機。
【請求項１０】
円筒形の本体と、
該本体の側面に形成された流入口から空気が流入し、該流入した空気に対して１次ホコリ分離動作を行い、１次ホコリ分離された空気のうちの第１部分を流出させる少なくとも一つの第１サイクロンと、
該少なくとも一つの第１サイクロンから一次ホコリ分離された前記空気のうちの第２部分が流入し、該空気の第２部分に対して２次ホコリ分離動作を行う少なくとも一つの第２サイクロンと、
前記少なくとも一つの第１サイクロンの内部に設置され、空気中のホコリを電離させる電離装置と、
前記少なくとも一つの第１サイクロン及び前記少なくとも一つの第２サイクロンを連結する案内ダクトと、
前記案内ダクト内に設置され、前記電離装置によって電離したホコリを前記少なくとも一つの第２サイクロン中に誘導する誘導装置と、
を備えてなることを特徴とするサイクロン空気清浄機。
【請求項１１】
前記少なくとも一つの第１サイクロンは、１次ホコリ分離された前記空気の第１部分が前記少なくとも一つの第１サイクロンの外部へ流出されるように第１流出管を備え、
前記少なくとも一つの第２サイクロンは、１次及び２次ホコリ分離された前記空気の第２部分が前記少なくとも一つの第２サイクロンの外部へ流出されるように第２流出管を備えることを特徴とする請求項１０に記載のサイクロン空気清浄機。
【請求項１２】
前記電離装置は、
前記第１流出管の外周面に円周方向に沿って配設される複数個の放電針と、
該放電針と対向して前記少なくとも一つの第１サイクロンの内周面に設けられる接地電極板と、
を備えてなることを特徴とする請求項１１に記載のサイクロン空気清浄機。
【請求項１３】
前記本体の上部に設置され、前記第１流出管及び前記第２流出管からそれぞれ流出される前記空気の第１部分及び第２部分からホコリをろ過するフィルターをさらに備えることを特徴とする請求項１１に記載のサイクロン空気清浄機。
【請求項１４】
空気が流入する本体と、
前記本体に配置され、前記流入した空気のうちの第１部分を浄化して浄化された該空気の第１部分を流出する第１流出口を有する第１サイクロンと、
前記本体内に配置され、前記第１サイクロンから前記空気のうちの第２部分が流入し浄化されるようにする案内ダクトを有し、浄化された前記空気の第２部分を流出する第２流出口を有する第２サイクロンと、
を備えてなることを特徴とするサイクロン空気清浄機。
【請求項１５】
前記第１サイクロンは、複数のサブサイクロンからなり、
前記案内ダクトは、複数のダクトからなり、該当する複数の第１サブサイクロンを第２サイクロンに連結することを特徴とする請求項１４に記載のサイクロン空気清浄機。
【請求項１６】
前記第１サイクロンは、第１個数の第１サブサイクロンからなり、
前記第２サイクロンは、第２個数の第２サブサイクロンからなり、前記第１個数の第１サブサイクロンは、第２個数の第２サブサイクロンよりも多いことを特徴とする請求項１４に記載のサイクロン空気清浄機。
【請求項１７】
前記案内ダクトは、複数のダクトからなり、２以上の第１サブサイクロンを１つの第２サブサイクロンに導くことを特徴とする請求項１６に記載のサイクロン空気清浄機。
【請求項１８】
前記第１サイクロンは、空気が流入する第１流入口を備え、
前記案内ダクトは、流入した前記空気の第２部分が流入する第２サイクロンの第２流入口として、前記第１サイクロン及び第２サイクロン間を連結することを特徴とする請求項１４に記載のサイクロン空気清浄機。
【請求項１９】
前記第１流入口及び第２流入口は、同一平面上に配置されないことを特徴とする請求項１８に記載のサイクロン空気清浄機。
【請求項２０】
前記第１流出口及び第２流出口は、同一平面上に配置されることを特徴とする請求項１４に記載のサイクロン空気清浄機。
【請求項２１】
前記本体は、第１領域及び第２領域からなり、
第１サイクロンは、前記本体の第１領域に配置される第１円筒部と、前記本体の第２領域に配置される第１円錐部とからなり、
第２サイクロンは、前記本体の第１領域に配置される第２円筒部と、前記本体の第２領域に配置される第２円錐部とからなることを特徴とする請求項１４に記載のサイクロン空気清浄機。
【請求項２２】
前記第１サイクロンは、前記第１円筒部に形成された第１流入口を備え、
前記案内ダクトは、前記第２円筒部の第２流入口として、前記第１円筒部と第２円筒部間を連結するように形成されたことを特徴とする請求項２１に記載のサイクロン空気清浄機。
【請求項２３】
前記第１流入口及び第２流入口は、前記第１円筒部の異なる部分に形成されることを特徴とする請求項２２に記載のサイクロン空気清浄機。
【請求項２４】
前記本体の第２領域に配置され、前記第１サイクロンの第１円錐部からホコリ粒子が集まる集塵部をさらに備えることを特徴とする請求項２１に記載のサイクロン空気清浄機。
【請求項２５】
前記第１及び第２サイクロンから吐出される空気の第１及び第２部分をろ過するフィルターと、
該フィルターによりろ過された前記空気の第１及部分び第２部分を前記本体の外部に排出するファンと、
をさらに備えることを特徴とする請求項１４に記載のサイクロン空気清浄機。
【請求項２６】
前記本体は、外側部と、該外側部の内側に位置する内側部とからなり、
前記第１サイクロンは、前記本体の外側部に配置される複数の第１サブサイクロンからなり、
前記第２サイクロンは、前記本体の内側部に配置される複数の第２サブサイクロンからなることを特徴とする請求項１４に記載のサイクロン空気清浄機。
【請求項２７】
前記案内ダクトは、前記第１サイクロン及び第２サイクロンにおいて接線方向に配置されることを特徴とする請求項１４に記載のサイクロン空気清浄機。
【請求項２８】
前記第１サイクロンは、前記第２サイクロンの第２サイズよりも大きい第１サイズを有することを特徴とする請求項１４に記載のサイクロン空気清浄機。
【請求項２９】
前記第１サイクロン及び第２サイクロンは、同一長さを有することを特徴とする請求項１４に記載のサイクロン空気清浄機。
【発明の詳細な説明】
【技術分野】
【０００１】
本発明は、空気清浄機に関し、より詳細には、サイクロンを採用したサイクロン空気清浄機に関する。
【背景技術】
【０００２】
サイクロン装置は、空気中に浮遊している固体や液体微粒子を捕集し除去する装置であり、旋回する空気中の粒子が遠心力と重力などによって分離される原理を利用する。このようなサイクロン装置は、真空清掃機などに多く用いられており、このようなサイクロン装置及びこれを備えた真空清掃機が開示されている（例えば、特許文献１参照。）。
【特許文献１】大韓民国公開特許公報第２００５−００２６２１８号
【発明の開示】
【発明が解決しようとする課題】
【０００３】
しかしながら、上記のようなサイクロン装置では、第１サイクロンから排出された全ての空気が第２サイクロンへ流入するため、第２サイクロンから発生する圧力損失及び騒音は相当大きくなるという問題点があった。
【０００４】
なお、上記のようなサイクロン装置は、第１サイクロンへ空気が流入する流入口が本体の一側面にのみ形成されているため、本体内部へ流入可能な空気の量には限界がある。よって、多い量の空気を同時に浄化しなければならない空気清浄機には適用し難いという問題点があった。
また、第１サイクロンが１個であるため、除塵効率が低下するという問題点もあった。
【０００５】
本発明は、上記の問題点を解決するためのもので、その目的は、第２サイクロンから発生する圧力損失及び騒音を低減できるサイクロン空気清浄機を提供することにある。
【０００６】
本発明の他の目的は、本体内部へ流入する空気の量を増加させ、空気浄化能力を向上させると同時に、空気浄化効率を向上させることができるサイクロン空気清浄機を提供することにある。
【課題を解決するための手段】
【０００７】
上記の目的を達成するための本発明に係るサイクロン空気清浄機は、円筒形の本体と、該本体の側面に形成されて空気を流入させる少なくとも一つの流入口を有し、該流入口から流入した空気に対して１次ホコリ分離動作を行い、１次ホコリ分離された空気のうちの第１部分を流出させる第１流出管を有する少なくとも一つの第１サイクロンと、該少なくもと一つの第１サイクロンから１次ホコリ分離された空気のうちの第２部分が流入し、該空気の第２部分に対して２次ホコリ分離動作を行う少なくとも一つの第２サイクロンと、を備えてなることを特徴とする。
【０００８】
上記サイクロン空気清浄機は、１次ホコリ分離された前記空気の第２部分を、前記少なくとも一つの第２サイクロンに導いて該第２サイクロン内に旋回気流が形成されるようにする案内ダクトをさらに備えることを特徴とする。
【０００９】
上記サイクロン空気清浄機は、前記少なくとも一つの第１サイクロンの内部に設置され、空気中のホコリを電離させる電離装置と、前記案内ダクト内に設置され、前記少なくとも一つの第１サイクロンの内部で電離したホコリ粒子を電気的な引力によって前記少なくとも一つの第２サイクロン中に誘導する誘導装置と、をさらに備えることができる。
【００１０】
また、前記電離装置は、前記第１流出管の外周面に円周方向に沿って配設される複数個の放電針と、該放電針と対向して前記少なくとも一つの第１サイクロンの内周面に設けられる接地電極板と、を備えてなることを特徴とする。
【００１１】
また、前記電離装置によって電離した空気中のホコリ粒子の一部は、前記誘導装置によって前記第２サイクロン中に誘導され、残りのホコリ粒子は、前記本体下部に設けられた集塵桶に集まることを特徴とする。
【００１２】
また、上記サイクロン空気清浄機は、前記少なくとも一つの第１サイクロンに設けられ、該第１サイクロンの内部に旋回気流が形成されるように前記少なくとも一つの第１流入口から前記第１サイクロン内に流入した空気を導くガイドをさらに備えることを特徴とする。
【００１３】
また、上記サイクロン空気清浄機は、前記少なくとも一つの第２サイクロンに縦方向に貫設され、１次及び２次ホコリ分離動作が行われた前記空気の第２部分が、前記少なくとも一つの第２サイクロンの外部へ流出されるようにする第２流出管をさらに備えることを特徴とする。
【００１４】
また、上記サイクロン空気清浄機は、前記本体の上部に設置され、前記第１流出管及び前記第２流出管からそれぞれ流出される前記空気の第１部分及び第２部分からホコリをろ過するフィルターをさらに備えることを特徴とする。
【００１５】
また、複数個の第１サイクロンは、前記本体の内部において円周方向に配置され、複数個の第２サイクロンは、前記複数個の第１サイクロンの内側において円周方向に配置されることを特徴とする。
【００１６】
なお、本発明に係るサイクロン空気清浄機は、円筒形の本体と、該本体の側面に形成された流入口から空気が流入し、該流入した空気に対して１次ホコリ分離動作を行い、１次ホコリ分離された空気のうちの第１部分を流出させる少なくとも一つの第１サイクロンと、該少なくとも一つの第１サイクロンから一次ホコリ分離された前記空気のうちの第２部分が流入し、該空気の第２部分に対して２次ホコリ分離動作を行う少なくとも一つの第２サイクロンと、前記少なくとも一つの第１サイクロンの内部に設置され、空気中のホコリを電離させる電離装置と、前記少なくとも一つの第１サイクロン及び前記少なくとも一つの第２サイクロンを連結する案内ダクトと、前記案内ダクト内に設置され、前記電離装置によって電離したホコリを前記少なくとも一つの第２サイクロン中に誘導する誘導装置と、を備えてなることを特徴とする。
【００１７】
また、前記少なくとも一つの第１サイクロンは、１次ホコリ分離された前記空気の第１部分が前記少なくとも一つの第１サイクロンの外部へ流出されるように第１流出管を備え、前記少なくとも一つの第２サイクロンは、前記１次及び２次ホコリ分離された空気の第２部分が、該少なくとも一つの第２サイクロンの外部へ流出されるように第２流出管を備えることを特徴とする。
【００１８】
また、前記電離装置は、前記第１流出管の外周面に円周方向に沿って配設される複数個の放電針と、該放電針と対向して前記少なくとも一つの第１サイクロンの内周面に設けられる接地電極板と、を備えてなることを特徴とする。
【００１９】
上記サイクロン空気清浄機は、前記本体の上部に設置され、前記第１流出管及び前記第２流出管からそれぞれ流出される前記空気の第１部分及び第２部分からホコリをろ過するフィルターをさらに備えることを特徴とする。
【００２０】
また、本発明に係るサイクロン空気清浄機は、空気が流入する本体と、前記本体に配置され、前記流入した空気のうちの第１部分を浄化して浄化された該空気の第１部分を流出する第１流出口を有する第１サイクロンと、前記本体内に配置され、前記第１サイクロンから前記空気の第２部分が流入し浄化されるようにする案内ダクトを有し、浄化された前記空気の第２部分を流出する第２流出口を有する第２サイクロンと、を備えてなることを特徴とする。
【００２１】
上記サイクロン空気清浄機は、前記第１サイクロンは、複数のサブサイクロンからなり、前記案内ダクトは、複数のダクトからなり、該当する複数の第１サブサイクロンを第２サイクロンに連結することを特徴とする。
【００２２】
また、上記サイクロン空気清浄機は、前記第１サイクロンが、第１個数の第１サブサイクロンからなり、前記第２サイクロンが、第２個数の第２サブサイクロンからなり、前記第１個数の第１サブサイクロンは、第２個数の第２サブサイクロンよりも多いことを特徴とする。
また、前記案内ダクトは、複数のダクトからなり、２以上の第１サブサイクロンを１つの第２サブサイクロンに導くことを特徴とする。
【００２３】
また、上記サイクロン空気清浄機は、前記第１サイクロンは、空気が流入する第１流入口を備え、前記案内ダクトは、流入した前記空気の第２部分が流入する第２サイクロンの第２流入口として、前記第１サイクロン及び第２サイクロン間を連結することを特徴とする。
また、前記第１流入口及び第２流入口は、同一平面上に配置されないことを特徴とする。
【００２４】
また、上記サイクロン空気清浄機は、前記第１流出口及び第２流出口は、同一平面上に配置されることを特徴とする。
【００２５】
また、上記サイクロン空気清浄機は、前記本体は、第１領域及び第２領域からなり、第１サイクロンは、前記本体の第１領域に配置される第１円筒部と、前記本体の第２領域に配置される第１円錐部とからなり、第２サイクロンは、前記本体の第１領域に配置される第２円筒部と、前記本体の第２領域に配置される第２円錐部とからなることを特徴とする。
【００２６】
前記第１サイクロンは、前記第１円筒部に形成された第１流入口を備え、前記案内ダクトは、前記第２円筒部の第２流入口として、前記第１円筒部と第２円筒部間を連結するように形成されたことを特徴とする。
【００２７】
前記第１流入口及び第２流入口は、前記第１円筒部の異なる部分に形成されることを特徴とする。
また、前記本体の第２領域に配置され、前記第１サイクロンの第１円錐部からホコリ粒子が集まる集塵部をさらに備えることを特徴とする。
【００２８】
上記サイクロン空気清浄機は、、前記第１及び第２サイクロンから吐出される空気の第１及び第２部分をろ過するフィルターと、
該フィルターによりろ過された前記空気の第１及部分び第２部分を前記本体の外部に排出するファンと、
をさらに備えることを特徴とする請求項１４に記載のサイクロン空気清浄機。
【００２９】
また、上記サイクロン空気清浄機は、前記本体は、外側部と、該外側部の内側に位置する内側部とからなり、前記第１サイクロンは、前記本体の外側部に配置される複数の第１サブサイクロンからなり、前記第２サイクロンは、前記本体の内側部に配置される複数の第２サブサイクロンからなることを特徴とする。
【００３０】
また、上記サイクロン空気清浄機は、前記案内ダクトは、前記第１サイクロン及び第２サイクロンにおいて接線方向に配置されることを特徴とする。
【００３１】
また、上記サイクロン空気清浄機は、前記第１サイクロンは、前記第２サイクロンの第２サイズよりも大きい第１サイズを有することを特徴とする。
【００３２】
また、上記サイクロン空気清浄機は、前記第１サイクロン及び第２サイクロンは、同一長さを有することを特徴とする。
【発明の効果】
【００３３】
本発明のサイクロン空気清浄機によれば、１以上の第１サイクロンで旋回しつつホコリが一部除去された空気の一部が、１以上の第２サイクロンに流入せずに１以上の第１流出管を通って流出されるため、該第２サイクロンで起こる圧力損失及び騒音を低減することが可能になる。
【００３４】
また、空気を本体内部に流入する複数個の第１流入口が設置されるため、空気の浄化能力を向上させることが可能になる。
【００３５】
また、電離装置と誘導装置を用いて小さいホコリ粒子の大部分を、第２サイクロンに流入させ分離できるため、空気の浄化効率を向上させることが可能になる。
【発明を実施するための最良の形態】
【００３６】
以下、本発明のサイクロン空気清浄機に係る好適な実施例を、添付の図面を参照しつつ詳細に説明する。
【００３７】
図１は、本発明の一実施例によるサイクロン空気清浄機の分解斜視図であり、図２は、本発明の一実施例による図１のサイクロン空気清浄機の本体１０の平面図であり、図３は、図１に示すサイクロン空気清浄機の本体１０における第１サイクロン２０と第２サイクロン３０の分解斜視図である。図１に示すように、本発明の一実施例によるサイクロン空気清浄機は、複数個の第１サイクロン２０と第２サイクロン３０が形成された本体１０を備える。この本体１０の詳細構造については、後述するものとする。
【００３８】
本体１０の上部には、浄化された空気が外部へ吐出されるように導く吐出案内桶１１が設置される。吐出案内桶１１は、下面が開放され、該開放された下面が本体１０に結合される。この吐出案内桶１１の内部上側には、浄化された空気を排出するための送風ファン１２が設置され、その上には、送風ファン１２を駆動するファンモーター１３が設置される。吐出案内桶１１は、本体１０の上面に固定される。また、吐出案内桶１１の内部には、第１サイクロン２０と第２サイクロン３０で分離されなかった微細ホコリをろ過するためのものであって必要によって着脱自在に装着されるフィルター１４が備えられる。
【００３９】
本体１０の下部には、上部が開放された集塵桶１５が設置される。集塵桶１５は、第１サイクロン２０と第２サイクロン３０で分離されたホコリが集まる場所であって、取り外して掃除できるように本体１０に着脱自在に設置される。
【００４０】
本体１０には、本体１０中に吸入された空気から、比較的大きいホコリ粒子を分離する複数個の第１サイクロン２０、及び比較的小さいホコリ粒子を分離する複数個の第２サイクロン３０が設置される。複数個の第１サイクロン２０は、本体１０の内部において円周方向に配置され、複数個の第２サイクロン３０は、複数個の第１サイクロン２０の内側において円周方向に配置される。このように、本体１０の内部に複数個の第１及び第２サイクロン２０，３０を円周方向に配置することによって、サイクロンを最大限に多く配置でき、これにより、空気清浄機の処理能力及び除塵効率を高めることができる。
【００４１】
本体１０の側面には、空気が第１サイクロン２０の内部へ流入するように複数個の第１流入口１６が設けられる。具体的に説明すると、複数個の第１流入口１６は、それぞれの第１サイクロン２０に空気が流入するようにそれぞれの第１サイクロン２０の位置に対応して本体１０の側面において円周方向に配置される。
【００４２】
図２を参照すると、本体１０の側面に形成された第１流入口１６から流入した空気は、第１サイクロン２０内部で旋回しながら大きいホコリ粒子が除去された後、その一部（すなわち、空気の第１部分）は、第１流出口２２ａを通って上方に流出され、残りの一部（すなわち、空気の第２部分）は、案内ダクト５０を介して第２サイクロン３０に流入する。第２サイクロン３０に流入した空気（すなわち、空気の第２部分）は、第２サイクロン３０内部で旋回しながら小さいホコリ粒子が除去された後に、第２流出口３２ａを通って上方に流出される。ここで、第１サイクロン２０及び第２サイクロン３０は、複数の第１サブサイクロン２０Ａ及び複数の第２サブサイクロン３０Ａをそれぞれ備えてなる。
【００４３】
図３を参照すると、それぞれの第１サイクロン２０は、一定の直径を有する円筒部２０ａと、円筒部２０ａの下部から延び、下方に行くほど直径が漸次狭まる円錐部２０ｂと、からなり、円錐部２０ｂの下部には、遠心力によって分離された大きいホコリ粒子を集塵桶１５に導く第１案内穴２１が貫設される。また、円筒部２０ａの略中心には、大きいホコリ粒子が除去された空気の一部（すなわち、空気の第１部分）が流出される第１流出口２２ａを形成する第１流出管２２が設置される。
【００４４】
それぞれの第１サイクロン２０には、本体１０の第１流入口１６から流入する空気を、第１サイクロン２０の円筒部２０ａに導き、第１サイクロン２０の内部で旋回気流が形成されるようにするガイド２３が設けられる。
【００４５】
第１サイクロン２０の円筒部２０ａには、ガイド２３によって導かれて第１サイクロン２０内部に流入した空気中のホコリを電離させる電離装置４０が設置される。電離装置４０は、互いに隔たって設置される放電針４０ａと、接地電極板４０ｂとで構成される。
【００４６】
放電針４０ａは、第１流出管２２の外側面に円周方向に複数個設置され、接地電極板４０ｂは、円筒部２０ａの内側面に埋設される。このような電離装置４０の放電針４０ａに（＋）電圧が印加されるとコロナ放電が起こり、これにより、第１流入口１６から第１サイクロン２０の円筒部２０ａに流入する空気中のホコリは、電離現象によって正（＋）電荷を帯びるようになる。
【００４７】
それぞれの第２サイクロン３０も第１サイクロン２０と同様に、上部の円筒部３０ａと下部の円錐部３０ｂとからなり、円錐部３０ｂの下部には、空気（すなわち、空気の第２部分）から分離された小さいホコリ粒子が集塵桶１５に導かれるように第２ガイド穴３１が貫設される。円筒部３０ａの側面には、第１サイクロン２０の円筒部２０ａと連通し、第１サイクロン２０内で旋回する空気中の一部（すなわち、空気の第２部分）が第２サイクロン３０に流入するように導く案内ダクト５０が設置され、円筒部３０ａの略中心には、小さいホコリ粒子が除去された空気が上方に流出されるように、第２流出口３２ａを形成する第２流出管３２が設置される。
【００４８】
案内ダクト５０の内部には、第２サイクロン３０の円筒部３０ａと連結され、第２サイクロン３０に流入した空気が旋回するように導く第２流入口５１が形成される。
また、案内ダクト５０には、第１サイクロン２０の円筒部２０ａで正（＋）電荷に電離したホコリを、第２流入口５１に流入するように誘導する誘導装置５２が備えられる。誘導装置５２は、負（−）電荷を帯びるようになっており、正（＋）電荷に電離したホコリ粒子に対して電気的な引力が働き、これにより、小さいホコリ粒子が第２流入口５１に誘導される。
【００４９】
以下、図１乃至図３を参照して、本発明によるサイクロン空気清浄機の動作について説明する。
【００５０】
サイクロン空気清浄機の動作が始まると、ファンモーター１３が駆動し送風ファン１２が回転する。送風ファン１２の吸引力によって、空気清浄機周囲の空気は、本体１０の側面に形成された第１流入口１６から吸入される。
【００５１】
第１流入口１６から流入した空気は、ガイド２３によって導かれて第１サイクロン２０の円筒部２０ａへ流入し旋回気流を形成し、第１サイクロン２０の円筒部２０ａで旋回する空気中に含まれたホコリは、電離装置４０によって正（＋）電荷を帯びるようになる。第１サイクロン２０の円筒部２０ａの内周面と第１排出管２２の外周面との間の空間で旋回する空気は、遠心力を受けながら漸次下降するようになる。このとき、下降する空気中のホコリのうち、大きいホコリ粒子は、重力によって第１案内穴２１を通って排出され集塵桶１５に落下し、小さいホコリ粒子は、誘導装置５２の電気的な引力によって一部の空気（すなわち、空気の第２部分）と共に、案内ダクト５０に形成された第２流入口５１へ流入する。
【００５２】
このように、電離装置４０と誘導装置５２を用いて、小さいホコリ粒子の大部分を、第２サイクロン３０へ流入させ分離できるため、サイクロン空気清浄機のホコリ分離効率を向上させることができる。
【００５３】
また、第１サイクロン２０の内部で旋回しながらホコリが分離された一部の空気（すなわち、空気の第１部分）は、第２サイクロン３０に流入せずに第１流出口２２ａから上方に流出される。したがって、多い量の空気が第２サイクロン３０に一度に流入することから生じる圧力損失及び騒音を低減することが可能になる。
【００５４】
第２流入口５１を通って第２サイクロン３０の円筒部３０ａに流入した空気（すなわち、空気の第２部分）は、第２サイクロン３０の内部空間で旋回気流を形成しながら漸次下降し、第２サイクロン３０中の小さいホコリ粒子は集塵桶１５に集まり、ホコリの分離された空気は、第２流出口３２ａから上部に流出される。
【００５５】
第１流出口２２ａと第２流出口３２ａを通って上部に流出された空気は、最終的に、フィルター１４によってろ過された後にサイクロン空気清浄機の外部へ排出される。
【図面の簡単な説明】
【００５６】
【図１】本発明の一実施例によるサイクロン空気清浄機の分解斜視図である。
【図２】本発明の一実施例による図１のサイクロン空気清浄機本体の平面図である。
【図３】図１のサイクロン空気清浄機における第１サイクロンと第２サイクロンの分解斜視図である。
【符号の説明】
【００５７】
１０    本体
１１    吐出案内桶
１５    集塵桶
１６    第１流入口
２０    第１サイクロン
２２    第１流出管
２３    ガイド
３０    第２サイクロン
３２    第２流出管
４０    電離装置
４０ａ    放電針
４０ｂ    接地電極板
５０    案内ダクト
５１    第２流入口
５２    誘導装置
【図１】
2007175695.tif 000003
【図２】
2007175695.tif 000004
【図３】
2007175695.tif 000005